(57)【要約】【課題】  漢字表示タイプの親機とカナ子機とを具備するコードレス子機付き電話機において、親機の電話帳に登録されている相手先名称のヨミガナを子機に表示することができるコードレス子機付き電話機を提供することを目的とするものである。【解決手段】  着信時に、発信者情報検出手段が発信者情報を検出すると、検出した発信者情報の中から発信者の電話番号を抽出し、この抽出した電話番号を、第１の相手先登録手段が登録した相手先情報から検索し、該当する相手先があれば、該当する相手先の第１の相手先名称情報を、第１の表示制御手段が表示し、該当する相手先の第２の相手先名称情報を、子機へ通知し、通知された第２の相手先名称情報を、第２の表示制御手段が表示する。【選択図】  図１
2006148732.tif 000002
【特許請求の範囲】
【請求項１】
発信者情報を通知するサービスを有する通信回線に接続され、無線で親機と接続される子機を有するコードレス電話システムにおいて、
上記親機は、
上記発信者情報を検出する発信者情報検出手段と；
上記親機の表示部へ表示する第１の表示制御手段と；
第１の相手先名称情報と第２の相手先名称情報と電話番号とを含む複数の相手先情報を登録する相手先登録手段と；
を有し、
上記子機は、上記子機の表示部へ表示する第２の表示制御手段を有し、
上記親機は、着信時に、上記発信者情報検出手段が発信者情報を検出すると、検出した発信者情報の中から発信者の電話番号を抽出し、この抽出した電話番号を、上記相手先登録手段が登録した相手先情報から検索し、該当する相手先があれば、上記該当する相手先の第１の相手先名称情報を、上記第１の表示制御手段が表示し、上記該当する相手先の第２の相手先名称情報を、上記子機へ通知し、上記子機は、通知された上記第２の相手先名称情報を、上記第２の表示制御手段が表示することを特徴とするコードレス電話システム。
【請求項２】
発信者情報を通知するサービスを有する通信回線に接続され、無線で親機と接続される子機を有するコードレス電話システムにおいて、
上記親機は、
上記発信者情報を検出する発信者情報検出手段と；
親機の表示部へ表示する第１の表示制御手段と；
第１の相手先名称情報と第２の相手先名称情報と電話番号とを含む複数の相手先情報を、登録する第１の相手先登録手段と；
を有し、
上記子機は、
上記子機の表示部へ表示する第２の教示制御手段と；
第３の相手先名称情報と電話番号とを含む複数の相手先情報を登録する第２の相手先登録手段と；
を有し、
上記親機は、着信時に、上記発信者情報検出手段が発信者情報を検出すると、検出した発信者情報の中から発信者の電話番号を抽出し、上記電話番号を上記相手先登録手段に登録されている相手先情報から検索し、該当する相手先があれば、上記該当する相手先の第１の相手先名称情報を上記第１の表示制御手段によって表示し、上記該当する相手先の第２の相手先名称情報と上記電話番号とを上記子機へ通知し、上記子機は、通知された上記電話番号を上記第２の相手先登録手段が登録した相手先情報から検索し、該当する相手先があれば、上記該当する相手先の第３の相手先名称情報を、上記第２の表示制御手段が表示し、該当する相手先がなければ、親機から通知された上記第２の相手先名称情報を、上記第２の表示制御手段が表示することを特徴とするコードレス電話システム。
【請求項３】
請求項２において、
上記第１の相手先名称情報は、漢字を含むことがある相手先名称情報であり、
上記第２の相手先名称情報と上記第３の相手先名称情報とは、漢字を含まない相手先名称情報であることを特徴とするコードレス電話システム。
【請求項４】
発信者情報を通知するサービスを有する通信回線に接続され、無線で親機と接続される子機を有するコードレス電話システムにおいて、
上記親機は、
上記発信者情報を検出する発信者情報検出手段と；
相手先名称情報と電話番号を含む複数の相手先情報を、親機に登録する相手先登録手段と；
上記発信者情報検出手段が検出した発信者情報に含まれている発信者の名称を、親機の表示部に表示する第１の表示制御手段と；
上記発信者情報検出手段が検出した発信者情報に含まれている発信者の電話番号を、上記相手先登録手段が登録した相手先情報から検索し、該当する相手先の相手先名称情報を親機の表示部に表示する第２の表示制御手段と；
を有し
上記子機は、上記子機の表示部へ表示する子機表示制御手段を有し、
上記親機は、上記第１の表示制御手段または上記第２の表示制御手段が親機の表示部に相手の名称を表示する際に、上記子機に親機名称表示中情報を通知し、上記親機名称表示中情報を受けた子機は、上記子機表示制御手段が、親機名称情報表示中の表示をすることを特徴とするコードレス電話システム。
【発明の詳細な説明】
【技術分野】
【０００１】
本発明は、発信者情報を通知するサービスを有する通信回線に接続され、親機と子機との無線区間をアナログ方式およびデジタル方式によって制御する電話システムを備え、回線から通知された発信者情報を受信、表示するコードレス子機付き電話機に関するものである。
【背景技術】
【０００２】
発信者電話番号を通知するサービス、いわゆるナンバーディスプレイサービスに対応する電話機において、受信した相手電話番号を、親機の電話帳から検索し、該当する相手の名称を表示し、子機にも通知し、子機にも表示する電話機が知られている。
【０００３】
また、発信者名称を通知するサービス、いわゆるネームディスプレイサービスに対応している電話機において、受信した相手名称を子機に通知し、子機にも表示する電話機が知られている（たとえば、特許文献１参照）。
【特許文献１】特開２００４−７２３９１号公報
【発明の開示】
【発明が解決しようとする課題】
【０００４】
しかし、従来例では、漢字表示タイプの親機とカナ子機とを組み合わせたコードレス子機付き電話機において、親機の電話帳に登録されている相手先名称を、子機に表示することができないという問題がある。
【０００５】
また、従来例では、カナ子機の表示だけでは、親機の表示がどうなっているかを認識できないので、電話帳の名称やネームディスプレイで通知された名称を、親機で表示していても、子機にはそれがわからないという問題がある。
【０００６】
本発明は、漢字表示タイプの親機とカナ子機とを具備するコードレス子機付き電話機において、親機の電話帳に登録されている相手先名称のヨミガナを子機に表示することができるコードレス子機付き電話機を提供することを目的とするものである。
【課題を解決するための手段】
【０００７】
本発明は、発信者情報を通知するサービスを有する通信回線に接続され、無線で親機と接続される子機を有するコードレス電話システムにおいて、上記親機は、上記発信者情報を検出する発信者情報検出手段と、上記親機の表示部へ表示する第１の表示制御手段と、第１の相手先名称情報と第２の相手先名称情報と電話番号とを含む複数の相手先情報を登録する相手先登録手段とを有し、上記子機は、上記子機の表示部へ表示する第２の表示制御手段を有し、上記親機は、着信時に、上記発信者情報検出手段が発信者情報を検出すると、検出した発信者情報の中から発信者の電話番号を抽出し、この抽出した電話番号を、上記相手先登録手段が登録した相手先情報から検索し、該当する相手先があれば、上記該当する相手先の第１の相手先名称情報を、上記第１の表示制御手段が表示し、上記該当する相手先の第２の相手先名称情報を、上記子機へ通知し、上記子機は、通知された上記第２の相手先名称情報を、上記第２の表示制御手段が表示することを特徴とするコードレス電話システムである。
【発明の効果】
【０００８】
本発明によれば、漢字表示タイプの親機とカナ子機とを具備するコードレス子機付き電話機において、親機の電話帳に登録されている相手先名称のヨミガナを子機に表示することができ、子機の利便性を向上することができるという効果を奏する。
【０００９】
また、本発明によれば、親機のみが相手先名称を表示している場合、親機で名称を表示している旨の情報を、子機に表示するので、必要であれば親機の表示を見ることができ、または、通知している名前が、電話帳に登録されている相手であるとわかるので、電話に出る前に心構えをすることができるという効果を奏する。
【００１０】
したがって、漢字表示タイプの親機に、安価なカナ子機を組み合わせ、増設子機として、安価なカナ子機を採用する等、コストパフォーマンスの向上を図ることができるという効果を奏する。
【発明を実施するための最良の形態】
【００１１】
発明を実施するための最良の形態は、次の実施例である。
【実施例１】
【００１２】
図１は、本発明の実施例１であるコードレス電話システムＴ１を示すブロック図である。
【００１３】
コードレス電話システムＴ１は、親機１０と、子機２０とを有する。
【００１４】
親機１０は、表示部３と、ＲＡＭ４と、ＲＯＭ５と、制御部６と、操作部７と、音声メモリ８と、通信部９と、スピーカ１１と、ハンドセット１２と、無線Ｉ／Ｆ部１３とを有する。
【００１５】
表示部３は、登録等操作の際のガイダンスや、各種警告、時刻等、装置の状態を表示する。
【００１６】
制御部６は、マイクロプロセッサ素子等で構成され、ＲＯＭ５に格納されているプログラムに従って、コードレス電話システムＴ１の全体を制御する。
【００１７】
通信部９は、モデム、ＮＣＵ（網制御装置）等によって構成され、ハンドセット１２による通話の接続や、通信網に接続して通信データの授受を行う。
【００１８】
音声メモリ８は、オペレータが操作部７を介して入力した音声情報や、応答メッセージ、または留守番電話機として留守応答した際の録音メッセージ等を格納し、スピーカ１１へ出力し、必要に応じて読出や書き込みを行う。また、オペレータは、操作部７によって電話帳の登録を行い、その内容がＲＡＭ４に記憶され、保持される。
【００１９】
無線Ｉ／Ｆ部１３は、子機２０の無線Ｉ／Ｆ部２３との間で無線通信を行う際のインタフェース部で、音声とともに、親機１０と子機２０との間で、コマンド、データを授受する。
【００２０】
子機２０は、無線Ｉ／Ｆ部２３と、音声メモリ２４と、ＲＯＭ２５と、ＲＡＭ２６と、制御部２７と、スピーカ２８と、操作部２９と、表示部３０と、マイク３１とを有する。
【００２１】
制御部２７は、マイクロプロセッサ素子等によって構成され、ＲＯＭ２５に格納されているプログラムに従って、コードレス電話システムＴ１の全体を制御する。
【００２２】
音声メモリ２４は、オペレータが録音した音声情報や、応答メッセージ、または親機１０が留守応答した際の録音メッセージ等を転送受信し、格納するものであり、必要に応じて読出や書き込みを行う。
【００２３】
マイク３１、スピーカ２８は、それぞれ通話を行う際に使用され、マイク３１はさらに音声入力、音声登録する際にも使用される。
【００２４】
操作部２９は、オペレータが子機２０の受話音量や着信音等、詳細な設定、または子機２０専用の電話帳登録を行うことができ、登録内容は、ＲＡＭ２６に記憶される。
【００２５】
表示部３０は、子機２０でのダイヤル表示や、ナンバーディスプレイ機能による相手の電話番号表示を行い、また、親機１０から受信した報知情報をオペレータに表示する。
【００２６】
図２は、実施例１における親機１０の電話帳４０の構成を示す図である。
【００２７】
親機１０は、ファクシミリ装置である。
【００２８】
電話帳４０は、相手名称、読み仮名、電話番号によって構成されている。
【００２９】
図３は、実施例１において、交換機５０と、親機１０と、子機２０との間の信号授受タイミングを示すシーケンス図である。
【００３０】
交換機５０からの起動信号を検出すると、親機１０は１次応答する。１次応答すると、交換機５０が発信者情報を送出し、この発信者情報を、親機１０が受信する。この受信が終了すると、親機１０は、受信完了信号を交換機５０に示し、交換機５０から呼出信号が到来する。
【００３１】
親機１０は、呼出信号を検出すると、受信した発信者情報の中から、電話番号を抽出し、電話帳４０から検索し、その電話番号が検出されると、対応するヨミガナを取り出す。
【００３２】
図３に示す例では、電話番号「９８７６５４３２１０」を受信したので、電話帳４０を検索すると、「岡村孝二」４１が検出される。このヨミガナ「オカムラコウジ」と、「９８７６５４３２１０」と、「親機名称表示中」とを、子機２０に通知し、子機２０に、鳴動と表示とのトリガをかける。親機１０から子機２０へ通知する情報の内容については、図４に関して詳細に説明し、情報を受信した子機２０の表示については、図５に関して詳細に説明する。
【００３３】
実施例１では、呼出信号が到来してから、子機２０に通知するが、交換機５０から発信者情報を検出した時点で、これらの情報を子機２０に通知し、これによって無線の起動をかけ、呼出信号が到来した時点で、子機２０に呼出開始を指示するようにしてもよい。
【００３４】
図４は、親機１０における着信時の処理を示すフローチャートである。
【００３５】
まず、Ｓ４０１では、回線から到来した発信者情報を受信し、Ｓ４０２で、交換機５０から呼出信号が到来したかどうかを検出し、呼出信号が到来していれば、Ｓ４０３へ進み、呼出信号が到来していなければ、再度Ｓ４０２へ戻る。
【００３６】
Ｓ４０３では、受信した発信者情報の中に電話番号が含まれているか否かを判定し、電話番号を検出すれば、Ｓ４０６へ進み、電話番号を検出しなければ、Ｓ４０４へ進む。Ｓ４０４では、発信者情報の中から非通知理由を抽出し、親機１０に表示し、Ｓ４０５へ進み、Ｓ４０５では、電話番号が通知されなかった理由である「非通知理由」情報と、親機１０に発信者名称を表示していないことを示す「名称非表示中」情報とを、子機２０に通知し、着信時の表示処理を終了する。
【００３７】
Ｓ４０６では、受信した電話番号が電話帳４０に登録されているかどうかを調べ、受信した電話番号が登録されていれば、４１２へ進み、受信した電話番号が登録されていなければ、Ｓ４０７へ進む。Ｓ４０７では、受信した発信者情報に、発信者名称が含まれているかどうかを判定する。発信者名称が含まれていれば、Ｓ４１０へ進み、発信者名称が含まれていなければ、Ｓ４０８へ進む。Ｓ４０８では、電話番号を親機１０に表示し、Ｓ４０９へ進み、Ｓ４０９では、受信した電話番号と「名称非表示中」情報とを、子機２０に通知し、着信時の表示処理を終了する。
【００３８】
Ｓ４１０では、電話番号と、受信した発信者名称とを、親機１０に表示し、Ｓ４１１へ進む。Ｓ４１１では、親機１０に電話番号と発信者名称とを表示していることを示す「名称表示中」情報を、子機２０に通知し、着信時の表示処理を終了する。Ｓ４１２では、電話番号と電話帳４０の名称とを、親機１０に表示し、Ｓ４１３では、検出した相手情報にヨミガナが登録されているかどうかを判定し、検出した相手情報にヨミガナがなければ、Ｓ４１１へ進み、検出した相手情報にヨミガナがあれば、Ｓ４１４で、電話番号と、ヨミガナと、「名称表示中」情報とを、子機２０に通知し、着信時の表示処理を終了する。
【００３９】
次に、実施例１において、図２に示す発信者情報を受信し、親機１０の電話帳４０が図３に示すように登録されていた場合の動作について説明する。
【００４０】
Ｓ４０１で、発信者情報「９８７６５４３２１０」と「岡村商店」とを受信し、Ｓ４０２で、呼出信号を検出すると、Ｓ４０３で番号を受信しているのでＳ４０６へ進み、Ｓ４０６では、受信した電話番号が電話帳４０の４１の部分に登録してあるので、Ｓ４１２へ進む。Ｓ４１２では、電話番号「９８７６５４３２１０」と電話帳４０の名前「岡村孝二」とを、親機１０の表示部３に表示し、Ｓ４１３の判定では、ヨミガナ「オカムラコウジ」が登録されているので、Ｓ４１４へ進み、図３に示す例のように、電話番号「９８７６５４３２１０」と、ヨミガナ「オカムラコウジ」と、「名称表示中」情報とを、子機２０に通知し、処理を終了する。
【００４１】
図５は、実施例１における子機２０の着信時の処理を示すフローチャートである。
【００４２】
Ｓ５０１では、親機１０から着信に関する情報を受信したかどうかを判定し、受信した場合は、Ｓ５０２で、受信した情報の中に電話番号があるかどうかを判定し、電話番号があれば、Ｓ５０４へ進み、電話番号がなければ、Ｓ５０３へ進み、図６に示す表示６０５のように、非通知理由を、子機２０の表示部３０へ表示し、子機２０の着信時の表示処理を終了する。Ｓ５０４では、受信した電話番号が子機２０の電話帳４０に登録されているかどうかを判定し、登録されていなければ、Ｓ５０５へ進み、登録されていれば、５１０へ進む。
【００４３】
図３に示すように、「９８７６５４３２１０」、「オカムラコウジ」、「親機名称表示中」が通知され、子機２０の電話帳４０に「コウジ：９８７６５４３２１」と登録されていたとすると、Ｓ５１０では、図６に示す表示６０１のように、電話番号と電話帳４０に登録されている名称とを、表示部３０へ表示し、処理を終了する。Ｓ５０５では、受信した情報に名称が含まれているかどうかを判定し、含まれていなければ、Ｓ５０６へ進み、含まれていれば、Ｓ５０９へ進む。
【００４４】
Ｓ５０９では、図６に示す表示６０２のように、電話番号と受信した名称とを、表示部３０へ表示し、処理を終了する。Ｓ５０６では、「名称表示中」情報を受信したかどうかを判定し、受信していなければ、Ｓ５０７へ進み、受信していれば、Ｓ５０８へ進む。
【００４５】
Ｓ５０７では、図６に示す表示６０４のように、電話番号のみを、表示部３０に表示し、処理を終了し、Ｓ５０８では、図６に示す表示６０３のように、電話番号と、親機１０で名称を表示中であることを示す「オヤキヒョウジチュウ」とを、表示部３０に表示し、処理を終了する。この場合、子機２０では、発信者の名称を表示することができないが、「オヤキヒョウジチュウ」を子機２０に表示するので、親機１０を見れば、発信者名称を確認できることを、オペレータに伝えることができる。
【００４６】
図６は、実施例１における子機２０の着信時の表示例である。
【００４７】
表示６０１では、Ｓ５１０のときの表示例を示し、表示６０２で、Ｓ５０９のときの表示例を示し、表示６０３では、Ｓ５０８のときの表示例を示し、表示６０４では、Ｓ５０７のときの表示例を示し、表示６０５で、Ｓ５０３のときの表示例を示す。
【図面の簡単な説明】
【００４８】
【図１】本発明の実施例１であるコードレス電話システムＴ１を示すブロック図である。
【図２】実施例１における親機１０の電話帳４０の構成を示す図である。
【図３】実施例１において、交換機５０と、親機１０と、子機２０との間の信号授受タイミングを示すシーケンス図である。
【図４】親機１０における着信時の処理を示すフローチャートである。
【図５】実施例１における子機２０の着信時の処理を示すフローチャートである。
【図６】実施例１における子機２０の着信時の表示例である。
【符号の説明】
【００４９】
Ｔ１…コードレス電話システム、
１０…親機、
３…表示部、
４…ＲＡＭ、
５…ＲＯＭ、
６…制御部、
７…操作部、
８…音声メモリ、
９…通信部、
１１…スピーカ、
１２…ハンドセット、
１３…無線Ｉ／Ｆ部、
２０…子機、
２３…無線Ｉ／Ｆ部、
２４…音声メモリ、
２５…ＲＯＭ、
２６…ＲＡＭ、
２７…制御部、
２８…スピーカ、
２９…操作部、
３０…表示部、
３１…マイク、
４０…電話帳、
５０…交換機。
【図１】
2006148732.tif 000003
【図２】
2006148732.tif 000004
【図３】
2006148732.tif 000005
【図４】
2006148732.tif 000006
【図５】
2006148732.tif 000007
【図６】
2006148732.tif 000008